(57)【要約】【課題】電子機器のスタイルに関係なく非接触通信を有効に利用することができる電子機器を実現する。【解決手段】実施形態によれば、電子機器は、キーボードが配置された上面を有するベースユニットと、ディスプレイユニットの表示面および前記上面が露出される第１位置または前記ディスプレイユニットの表示面が露出され且つディスプレイユニットの背面によって前記上面が覆われる第２位置のいずれかに設定されるディスプレイユニットと、アンテナスイッチとを具備する。前記アンテナスイッチは、前記第１の位置から前記第２の位置への設定位置の変更に応じて、非接触通信デバイスによって使用されるアンテナを、前記ベースユニットの前記上面に配置された第１のアンテナから、前記ディスプレイユニットによって覆われない前記電子機器内の位置に配置されている第２のアンテナに変更する。【選択図】図７
2014010626.tif 000002
【特許請求の範囲】
【請求項１】
キーボードが配置された上面を有するベースユニットと、
ディスプレイユニットであって、前記ディスプレイユニットの表示面および前記上面が露出される第１位置または前記ディスプレイユニットの表示面が露出され且つディスプレイユニットの背面によって前記上面が覆われる第２位置のいずれかに設定されるディスプレイユニットと、
非接触通信デバイスと、
前記第１の位置から前記第２の位置への前記ディスプレイユニットの設定位置の変更に応答して、前記非接触通信デバイスによって使用されるアンテナを、前記上面に配置された第１のアンテナから、前記第２の位置に設定された前記ディスプレイユニットによって覆われない前記電子機器内の位置に配置されている第２のアンテナに変更するアンテナスイッチとを具備する電子機器。
【請求項２】
前記第２のアンテナは前記第１のアンテナのサイズよりも大きなサイズを有している請求項１記載の電子機器。
【請求項３】
前記第２のアンテナは前記ベースユニットの底面に配置されている請求項１記載の電子機器。
【請求項４】
前記第２のアンテナは前記ディスプレイユニットの表示面に対向するように前記ディスプレイユニット内に配置されている請求項１記載の電子機器。
【請求項５】
前記ディスプレイユニットはタッチスクリーンディスプレイを備える請求項１記載の電子機器。
【請求項６】
キーボードが配置された上面を有するベースユニットと、ディスプレイユニットであって、前記ディスプレイユニットの表示面および前記上面が露出される第１位置または前記ディスプレイユニットの表示面が露出され且つディスプレイユニットの背面によって前記上面が覆われる第２位置のいずれかに設定されるディスプレイユニットとを備える電子機器に適用される非接触通信制御方法であって、
前記第１の位置から前記第２の位置への前記ディスプレイユニットの設定位置の変更を検出し、
前記ディスプレイユニットの前記設定位置の変更の検出に応答して、前記電子機器内の非接触通信デバイスによって使用されるアンテナを、前記上面に配置された第１のアンテナから、前記第２の位置に設定された前記ディスプレイユニットによって覆われない前記電子機器内の位置に配置されている第２のアンテナに変更する、非接触通信制御方法。
【請求項７】
前記第２のアンテナは前記第１のアンテナのサイズよりも大きなサイズを有している請求項６記載の非接触通信制御方法。
【請求項８】
前記第２のアンテナは前記ベースユニットの底面に配置されている請求項６記載の非接触通信制御方法。
【請求項９】
前記第２のアンテナは前記ディスプレイユニットの表示面に対向するように前記ディスプレイユニット内に配置されている請求項６記載の非接触通信制御方法。
【発明の詳細な説明】
【技術分野】
【０００１】
本発明の実施形態は、電子機器および同機器に適用される非接触通信制御方法に関する。
【背景技術】
【０００２】
近年、ノートブック型パーソナルコンピュータ（ＰＣ）、タブレットコンピュータ、スマートフォン、ＰＤＡといった様々な携帯型電子機器が開発されている。これら電子機器の中には、ＮＦＣのような非接触通信をサポートしている電子機器が存在する。ユーザによって非接触ＩＣカードのような外部デバイスが電子機器にかざされた場合、この外部デバイスと電子機器との間の非接触通信が可能となる。
【０００３】
ところで、最近では、タッチスクリーンディスプレイが広く利用され始めている。タッチスクリーンディスプレイはその画面上のタッチ位置を検出可能なデバイスである。ユーザは、タッチスクリーンディスプレイの画面上のオブジェクトを指又はペンでタッチすることにより、そのオブジェクトに関連づけられた機能の開始を指示することができる。
【０００４】
タッチスクリーンディスプレイを備えるコンピュータには、クラムシェルタイプとタブレットタイプとがある。さらに、そのスタイルをクラムシェルタイプとタブレットタイプの２つのスタイル（２つのモード）間で変更可能なコンバーチブル型タブレットコンピュータも存在する。
【先行技術文献】
【特許文献】
【０００５】
【特許文献１】特開２００６−３４０１８０号公報
【発明の概要】
【発明が解決しようとする課題】
【０００６】
無線ＬＡＮのような通常の無線通信用のアンテナとは異なり、ＮＦＣのような上述の非接触通信用のアンテナは、周辺金属による影響を受けやすい。このため、非接触通信をサポートする電子機器においては、非接触通信用のアンテナの配置位置によっては非接触通信の通信性能が損なわれる可能性がある。
【０００７】
本発明は、電子機器のスタイルに関係なく非接触通信を有効に利用することができる電子機器および非接触通信制御方法を提供することを目的とする。
【課題を解決するための手段】
【０００８】
実施形態によれば、電子機器は、キーボードが配置された上面を有するベースユニットと、ディスプレイユニットであって、前記ディスプレイユニットの表示面および前記上面が露出される第１位置または前記ディスプレイユニットの表示面が露出され且つディスプレイユニットの背面によって前記上面が覆われる第２位置のいずれかに設定されるディスプレイユニットと、非接触通信デバイスと、アンテナスイッチとを具備する。前記アンテナスイッチは、前記第１の位置から前記第２の位置への前記ディスプレイユニットの設定位置の変更に応答して、前記非接触通信デバイスによって使用されるアンテナを、前記上面に配置された第１のアンテナから、前記第２の位置に設定された前記ディスプレイユニットによって覆われない前記電子機器内の位置に配置されている第２のアンテナに変更する。
【図面の簡単な説明】
【０００９】
【図１】実施形態に係る電子機器のクラムシェルモードおよびタブレットモードそれぞれに対応する外観を示す斜視図。
【図２】同実施形態の電子機器に設けられた、ベースユニットとディスプレイユニットとの関係を説明するための図。
【図３】同実施形態の電子機器に設けられたベースユニットの断面図。
【図４】同実施形態の電子機器のスタイルがクラムシェルモードからタブレットモードに遷移する過程を説明するための図。
【図５】同実施形態の電子機器のシステム構成を示すブロック図。
【図６】同実施形態の電子機器がタブレットモードである場合に使用されるアンテナの配置位置の他の例を示す図。
【図７】同実施形態の電子機器によって実行されるアンテナ切り替え動作を説明するための図。
【図８】同実施形態の電子機器によって実行される別のアンテナ切り替え動作を説明するための図。
【図９】同実施形態の電子機器によって実行されるアンテナ切り替え処理の手順を説明するフローチャート。
【図１０】同実施形態の同実施形態の電子機器に設けられた、ベースユニットとディスプレイユニットとの関係の別の例を説明するための図。
【発明を実施するための形態】
【００１０】
以下、実施の形態について図面を参照して説明する。  
図１は、一実施形態に係る電子機器のクラムシェルモードおよびタブレットモードそれぞれに対応する外観を示す。この電子機器は、例えば、コンバーチブルタブレットコンピュータ１０として実現されている。コンバーチブルタブレットコンピュータ１０は、図１の左部に示すクラムシェルモードまたは図１の右部に示すタブレットモードのいずれかのモードに対応するスタイルで使用される。
【００１１】
このコンバーチブルタブレットコンピュータ１０は、ベースユニット１１と、ディスプレイユニット１２とを備えている。ベースユニット１１は、ＣＰＵ、メモリ、他の各種電子部品等を収容する薄い矩形状の筐体を有している。ベースユニット１１の上面には、キーボード１３およびタッチパッド１４が配置されている。
【００１２】
さらに、ベースユニット１１の上面には、非接触通信用の第１のアンテナ２１が配置されている。第１のアンテナ２１は、例えば、ベースユニット１１の上面上のパームレスト領域に配置されている。より詳しくは、第１のアンテナ２１は、ベースユニット１１の上面上のパームレスト領域の一部分に対向するようにベースユニット１１内に設けられている。第１のアンテナ２１に対向するパームレスト領域の一部分が非接触通信部分として機能する。
【００１３】
ディスプレイユニット１２の正面、つまりディスプレイユニット１２の表示面には、タッチスクリーンディスプレイ１７が配置されている。このタッチスクリーンディスプレイ１７は、ディスプレイ１７上のペン又は指の位置を検知するように構成されている。
【００１４】
ディスプレイユニット１２は、図１の左部に示すクラムシェルモードのスタイルに対応する第１位置、または図１の右部に示すタブレットモードのスタイルに対応する第２位置のいずれかに設定される。より詳しくは、ディスプレイユニット１２は、ディスプレイユニット１２の表示面およびベースユニット１１の上面が露出される上述の第１位置、またはディスプレイユニット１２の表示面が露出され且つベースユニット１１の上面がディスプレイユニット１２の背面で覆われる上述の第２位置のいずれかに設定される。
【００１５】
クラムシェルモードにおいては、主に、コンバーチブルタブレットコンピュータ１０は例えば机上のような水平面上に置かれた状態で使用される。クラムシェルモードにおいては、ユーザは主にキーボード１３を操作する。さらに、クラムシェルモードにおいては、上述の第１のアンテナ２１が非接触通信のためのアンテナとして使用される。ユーザは、非接触ＩＣカード、非接触リーダ／ライタ、非接触通信機能を有する他の各種デバイスといった外部デバイスを、パームレスト領域の非接触通信部分上にかざす、またはパームレスト領域の非接触通信部分上に置くことにより、コンバーチブルタブレットコンピュータ１０と外部デバイスとの間の非接触通信を実行することができる。
【００１６】
一方、タブレットモードにおいては、主に、コンバーチブルタブレットコンピュータ１０はユーザの片手または両手で持たれた状態で使用される。ユーザは主にペン又は指でディスプレイ１７上をタッチ操作する。タブレットモードにおいては、上述の第１のアンテナ２１はディプレイユニット１２で覆われる。さらに、ディプレイユニット１２内の金属の影響により、上述の第１のアンテナ２１の性能は低下される。このため、本実施形態では、コンバーチブルタブレットコンピュータ１０のスタイルがクラムシェルモードからタブレットモードに変更された場合には、非接触通信のために使用されるアンテナは、上述の第１のアンテナ２１から第２のアンテナ２２に自動的に切り替えられる。この第２のアンテナ２２は、コンピュータ１０内におけるベースユニット１１の上面以外の位置、つまりタブレットモードにおいてディプレイユニット１２で覆われないコンピュータ１０内のある位置に配置されている。
【００１７】
図１においては、第２のアンテナ２２は、ベースユニット１１の底面上に配置されている。より詳しくは、第２のアンテナ２２は、ベースユニット１１の底面内の右上部分に対向するようにベースユニット１１内に設けられている。第２のアンテナ２２に対向する底面内の一部分が非接触通信部分として機能する。上述したように、タブレットモードにおいては、主に、コンバーチブルタブレットコンピュータ１０はユーザの片手または両手で持たれた状態で使用される。ユーザは、コンバーチブルタブレットコンピュータ１０を手に持った状態でベースユニット１１の底面内の右上部分を、外部デバイスの非接触通信部分にかざす。これにより、外部デバイスとコンピュータ１０との間の非接触通信を実行することができる。
【００１８】
クラムシェルモードにおいては、上述したようにコンバーチブルタブレットコンピュータ１０は机上に置かれて使用されることが多いので、もし机が金属で構成されているならば、ベースユニット１１の底面上に配置された第２のアンテナ２２の通信性能が大きく低下される可能性がある。しかし、タブレットモードにおいては、コンバーチブルタブレットコンピュータ１０はユーザの手に保持された状態で使用されることが多いので、ベースユニット１１の底面上に配置された第２のアンテナ２２の性能が金属の机によって損なわれる可能性は少ない。
【００１９】
さらに、第２のアンテナ２２は、第１のアンテナ２１のサイズよりも大きなサイズを有している。これにより、第２のアンテナ２２は、第１のアンテナ２１のよりも高い感度を有する。
【００２０】
上述したように、コンバーチブルタブレットコンピュータ１０がクラムシェルモードの間は、外部デバイスをパームレスト領域の非接触通信部分上に置いておくことができる。したがって、コンバーチブルタブレットコンピュータ１０と外部デバイスとの間の位置ずれが非接触通信中に発生する可能性は低く、それらの間の安定した非接触通信を実行することができる。
【００２１】
一方、コンバーチブルタブレットコンピュータ１０がタブレットモードの間は、上述したように、ユーザは、コンバーチブルタブレットコンピュータ１０を手に持った状態でベースユニット１１の底面内の右上部分を外部デバイスの非接触通信部分にかざすという操作を行う。このため、コンバーチブルタブレットコンピュータ１０は比較的不安定な状態で外部デバイスとの非接触通信を行うことになる。本実施形態では、第２のアンテナ２２は第１のアンテナ２１よりも高い感度を有しているで、コンバーチブルタブレットコンピュータ１０がタブレットモードの場合においても、外部デバイスとコンピュータ１０との間の安定した非接触通信を実行することができる。
【００２２】
図２は、ベースユニット１１とディスプレイユニット１２との間の関係の例が示されている。ディスプレイユニット１２はその表示面がベースユニット１１の上面に対してほぼ平行になるように、つまり、ほぼ１８０度開くようにベースユニット１１の後端部に取り付けられている。さらに、ディスプレイユニット１２はベースユニット１１の前端部と後端部との間で移動（スライド）可能にベースユニット１１に取り付けられている。ディスプレイユニット１２がほぼ１８０度開いた状態においては、ディスプレイユニット１２をベースユニット１１の前端部と後端部との間を自在にスライドさせることができる。図２の状態で、ディスプレイユニット１２の下端部がベースユニット１１の前端部に到達するようにディスプレイユニット１２をベースユニット１１の前端部の方にスライドさせることにより、コンピュータ１０をタブレットモードに設定することができる。また、図２の状態で、ディスプレイユニット１２を起立させることにより、コンピュータ１０をクラムシェルモードに設定することができる。
【００２３】
図３は、図２のＩ−Ｉ線に沿ったベースユニット１１の断面図である。ベースユニット１１の筐体は上部ケーシング１１Ａと下部ケーシング１１Ｂとを備える。ベースユニット１１の筐体内には、上述の第１および第２のアンテナ２１、２２が設けられている。
【００２４】
第１のアンテナ２１は、例えば、誘電体基板とこの誘電体基板上に配置されたコイル状の配線パターンとを備える。アンテナ２１は、配線パターンが上部ケーシング１１Ａの内面に対向するように上部ケーシング１１Ａの内面の近くに、つまりベースユニット１１の上壁の近くに配置されている。
【００２５】
第２のアンテナ２２も、例えば、誘電体基板とこの誘電体基板上に配置されたコイル状の配線パターンとを備える。アンテナ２２は、配線パターンが下部ケーシング１１Ｂの内面に対向するように下部ケーシング１１Ｂの内面の近くに、つまりベースユニット１１の底壁の近くに配置されている。
【００２６】
さらに、様々な電子部品が実装されたプリント回路基板３０がベースユニット１１の筐体内に設けられている。
【００２７】
図４は、コンピュータ１０のスタイルがクラムシェルモードからタブレットモードに遷移する過程を示している。図４において、１００Ａは上述のクラムシェルモードを示している。１００Ｂは、クラムシェルモードであるコンピュータ１０のディスプレイユニット１２をほぼ１８０度開いた状態を示している。１００Ｃは、ほぼ１８０度開いたディスプレイユニット１２をベースユニット１１の前端部に向けてスライドさせた状態を示している。１００Ｄは、上述のタブレットモードを示している。
【００２８】
図５は、コンピュータ１０のシステム構成を示している。
【００２９】
コンピュータ１０は、上述のキーボード１３、タッチパッド１４、第１および第２のアンテナ２１，２２に加え、ＣＰＵ１０１、システムコントローラ１０２、主メモリ１０３、グラフィクスコントローラ１０４、ＢＩＯＳ−ＲＯＭ１０５、不揮発性メモリ１０６、非接触通信モジュール１０７、エンベデッドコントローラ（ＥＣ）１０８、モード検出器１０９、ＲＦマッチング回路１１０、ＲＦスイッチ１１１、ＲＦマッチング回路１１２Ａ、ＲＦマッチング回路１１２Ｂを備えている。
【００３０】
ＣＰＵ１０１は、コンピュータ１０内の各部の動作を制御するプロセッサである。ＣＰＵ１０１は、不揮発性メモリ１０６から主メモリ１０３にロードされる様々なソフトウェアを実行する。このソフトウェアには、オペレーティングシステム（ＯＳ）、および各種アプリケーションプログラムが含まれる。また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００３１】
システムコントローラ１０２は、ＣＰＵ１０１のローカルバスに接続されている。システムコントローラ１０２は、主メモリ１０３をアクセス制御するメモリコントローラを内蔵している。また、システムコントローラ１０２は、ＰＣＩ  ＥＸＰＲＥＳＳ規格のシリアルバスなどを介してグラフィクスコントローラ１０４との通信を実行する機能も有している。
【００３２】
グラフィクスコントローラ１０４は、コンピュータ１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７は、表示信号に基づいて映像を表示する。このＬＣＤ１７Ａ上にはタッチパネル１７Ｂが配置されている。タッチパネル１７Ｂは、ＬＣＤ１７Ａの画面上で入力を行うためのポインティングデバイスである。ユーザは、タッチパネル１７Ｂを用いて、ＬＣＤ１７Ａの画面に表示されたグラフィカルユーザインタフェース（ＧＵＩ）等を操作することができる。例えば、ユーザは、画面に表示されたボタンをタッチすることによって、当該ボタンに対応する機能の実行を指示することができる。
【００３３】
システムコントローラ１０２は、不揮発性メモリ１０６を制御するためのＡＴＡコントローラを内蔵している。不揮発性メモリ１０６はＳＳＤのような半導体記憶装置によって実現されている。
【００３４】
非接触通信モジュール１０７は、外部デバイスとの非接触通信を実行するように構成された非接触通信デバイスである。非接触通信は近接無線通信と称されることもある。非接触通信としては、ＮＦＣなどが用いられる。非接触通信モジュール１０７の高周波信号（ＲＦ信号）入出力端子はＲＦマッチング回路１１０を介してＲＦスイッチ１１１に接続されている。ＲＦスイッチ１１１は、非接触通信モジュール１０７に接続されるアンテナを、第１のアンテナ２１と第２のアンテナ２２との間で切り替えるように構成されたアンテナスイッチである。ＲＦスイッチ１１１は、ＥＣ１０８から供給される制御信号に応じて、非接触通信モジュール１０７に接続されるアンテナを、第１のアンテナ２１と第２のアンテナ２２との間で切り替える。
【００３５】
本実施形態においては、コンピュータ１０の現在のスタイルに応じて、非接触通信モジュール１０７に接続されるアンテナが、第１のアンテナ２１と第２のアンテナ２２との間で自動的に切り替えられる。すなわち、ＲＦスイッチ１１１は、上述の第１の位置から上述の第２の位置へのディスプレイユニット１２の設定位置の変更に応答して、つまりクラムシェルモードからタブレットモードへの変更に応答して、非接触通信モジュール１０７によって使用されるアンテナを、第１のアンテナ２１から第２のアンテナ２２に切り替える。また、ＲＦスイッチ１１１は、第２の位置から第１の位置へのディスプレイユニット１２の設定位置の変更に応答して、つまりタブレットモードからクラムシェルモードへの変更に応答して、非接触通信モジュール１０７によって使用されるアンテナを、第２のアンテナ２２から第１のアンテナ２１に切り替える。
【００３６】
ＲＦスイッチ１１１と第１のアンテナ２１との間には、第１のアンテナ２１のインピーダンスを調整するように構成されたＲＦマッチング回路１１２Ａが接続されている。同様に、ＲＦスイッチ１１１と第２のアンテナ２２との間には、第２のアンテナ２２のインピーダンスを調整するように構成されたＲＦマッチング回路１１２Ｂが接続されている。これらＲＦマッチング回路１１２Ａ、１１２Ｂは他の様々なコンポーネントと一緒にプリン回路基板上に実装してもよいし、ＲＦマッチング回路１１２Ａを第１のアンテナ２１内に配置し、且つＲＦマッチング回路１１２Ｂを第２のアンテナ２２内に配置してもよい。
【００３７】
非接触通信モジュール１０７から第１のアンテナ２１までの距離と接触通信モジュール１０７から第２のアンテナ２２までの距離は、互いに異なる。また、コンピュータ１０の組み立てばらつきに等に起因する第１のアンテナ２１に対する周辺金属の影響の変化により、クラムシェルモードにおいての第１のアンテナ２１の共振周波数が所望周波数からわずかにずれる場合がある。同様に、コンピュータ１０の組み立てばらつきに等に起因する第２のアンテナ２２に対する周辺金属の影響の変化により、タブレットモードにおける第２のアンテナ２２の共振周波数も所望周波数からわずかにずれる場合がある。
【００３８】
本実施形態では、ＲＦマッチング回路１１２Ａ，１１２Ｂによって第１のアンテナ２１および第２のアンテナ２２それぞれのインピーダンスを個別に調整することができる。したがって、第１のアンテナ２１に対する周辺金属の影響と第２のアンテナ２２に対する周辺金属の影響が異なる場合であっても、第１のアンテナ２１および第２のアンテナ２２それぞれのインピーダンスを個別に調整することによって、第１のアンテナ２１および第２のアンテナ２２それぞれの共振周波数を所望周波数に設定することができる。よって、クラムシェルモードとタブレットモードのどちらのスタイルが使用される場合であっても、安定した非接触通信を実現することができる。
【００３９】
ＥＣ１０８は、電力管理のためのエンベデッドコントローラを含む１チップマイクロコンピュータである。ＥＣ１０８は、ユーザによるパワーボタンの操作に応じて本コンピュータ１０を電源オン／電源オフする機能を有している。またＥＣ１０８は、キーボード１３およびタッチパッド１４を制御するように構成されたキーボードコントローラを備えている。
【００４０】
モード検出器１０９は、コンピュータ１０の現在のスタイルがクラムシェルモードまたはタブレットモードのいずれであるかを検出するように構成された検出器である。モード検出器１０９は、例えば、ベースユニット１１の上面上の前端部に配置してもよい。この場合、モード検出器１０９は、ベースユニット１１の上面上の前端部とディスプレイユニット１２の背面との間が接触しているか否かに応じて、現在のスタイルがタブレットモードであるか否かを判定することができる。
【００４１】
ＥＣ１０８は、モード検出器１０９を使用して、上述の第１の位置から上述の第２の位置へのディスプレイユニット１２の設定位置の変更を検出する。そして、上述の第１の位置から上述の第２の位置へのディスプレイユニット１２の設定位置の変更の検出に応答して、ＥＣ１０８は、ＲＦスイッチ１１１を制御して、非接触通信デバイスによって使用されるアンテナを、前記ベースユニット１１の上面に配置された第１のアンテナ２１から、第２の位置に設定されたディスプレイユニット１２によって覆われない位置に配置されている第２のアンテナ２２に変更する。
【００４２】
図６は、第２のアンテナ２２の配置位置の別の例を示している。図６においては、第２のアンテナ２２は、ディスプレイユニット１２の表示面に対向するようにディスプレイユニット１２内に配置されている。すなわち、第２のアンテナ２２は、ディスプレイユニット１２の表示面上の例えば右上の領域が非接触通信部として機能するように、ディスプレイユニット１２の表示面上の右上の領域に対向した状態でディスプレイユニット１２内に設けられている。
【００４３】
図７は、本実施形態のアンテナ切り替え動作を説明するための図である。図７においては、第１のアンテナ２１がパームレスト領域に配置され、第２のアンテナ２２がベースユニット１１の底面に配置されている場合が想定されている。
【００４４】
クラムシェルモードでは、ＲＦスイッチ１１１は、ＥＣ１０８の制御の下、第１のアンテナ２１をイネーブルにし、第２のアンテナ２２をディスエーブルにする。この場合、第１のアンテナ２１がＲＦスイッチ１１１によって選択され、第１のアンテナ２１が非接触通信モジュール１０７に電気的に結合される。第２のアンテナ２２は、非接触通信モジュール１０７から電気的に切断される。
【００４５】
コンピュータ１０のスタイルがタブレットモードに変更されたことがモード検出器１０９によって検出された時、ＲＦスイッチ１１１は、ＥＣ１０８の制御の下、第２のアンテナ２２をイネーブルにし、第１のアンテナ２１をディスエーブルにする。この場合、第２のアンテナ２２がＲＦスイッチ１１１によって選択され、第２のアンテナ２２が非接触通信モジュール１０７に電気的に結合される。第１のアンテナ２１は、非接触通信モジュール１０７から電気的に切断される。
【００４６】
なお、図７の左部に示すようにコンピュータ１０がクラムシェルモードの場合、第２のアンテナ２２に対応するＲＦマッチング回路１１２Ｂに設定されるＲＦマッチング定数を通信不可能な定数へ変更して第２のアンテナ２２を使用不可能にし、第１のアンテナ２１に対応するＲＦマッチング回路１１２Ａに設定されるＲＦマッチング定数を通信可能な定数へ変更して第１のアンテナ２１を使用可能にしてもよい。
【００４７】
図８も、本実施形態のアンテナ切り替え動作を説明するための図である。図８においては、第１のアンテナ２１がパームレスト領域に配置され、第２のアンテナ２２がディスプレイユニット１２の表示面に対向するようにディスプレイユニット１２内に配置されている場合が想定されている。
【００４８】
クラムシェルモードでは、ＲＦスイッチ１１１は、ＥＣ１０８の制御の下、第１のアンテナ２１をイネーブルにし、第２のアンテナ２２をディスエーブルにする。コンピュータ１０のスタイルがタブレットモードに変更されたことがモード検出器１０９によって検出された時、ＲＦスイッチ１１１は、ＥＣ１０８の制御の下、第２のアンテナ２２をイネーブルにし、第１のアンテナ２１をディスエーブルにする。
【００４９】
次に、図９のフローチャートを参照して、コンピュータ１０によって実行されるアンテナ切り替え処理の手順を説明する。
【００５０】
コンピュータ１０は、モード検出器１０９を用いてコンピュータ１０がクラムシェルモードまたはタブレットモードのいずれに設定されているか、つまり、ディスプレイユニット１２が上述の第１の位置または上述の第２の位置のいずれに設定されているかを判定する（ステップＳ１１，Ｓ１２）。上述したように、モード検出器１０９がディスプレイユニット１２が上述の第２の位置に設定されているかどうかのみを検出するように構成されている場合においては、モード検出器１０９がオンならば、つまりディスプレイユニット１２が上述の第２の位置に設定されていることがモード検出器１０９によって検出されているならば、コンピュータ１０がタブレットモードであると判定し、モード検出器１０９がオフならば、つまりディスプレイユニット１２が上述の第２の位置に設定されていることがモード検出器１０９によって検出されていないならば、コンピュータ１０がクラムシェルモードであると判定してもよい。
【００５１】
コンピュータ１０がクラムシェルモードである場合には、コンピュータ１０は、ＲＦスイッチ１１１によって、第１および第２のアンテナ２１、２２から、第１のアンテナ２１を選択して、第１のアンテナ２１を非接触通信モジュール１０７に電気的に結合する（ステップＳ１３）。これにより、第１のアンテナ２１がイネーブルとなり、第２のアンテナ２２がディスエーブルとなる。
【００５２】
一方、コンピュータ１０がタブレットモードである場合には、コンピュータ１０は、ＲＦスイッチ１１１によって、第１および第２のアンテナ２１、２２から、第２のアンテナ２２を選択して、第２のアンテナ２２を非接触通信モジュール１０７に電気的に結合する（ステップＳ１４）。これにより、第２のアンテナ２２がイネーブルとなり、第１のアンテナ２１がディスエーブルとなる。
【００５３】
以上の説明では、ディスプレイニット１２がベースユニット１１上をスライドするようにベースユニット１１に取り付けられている場合を想定したが、ディスプレイニット１２とベースユニット１１との間を連結するための構造はこれに限られない。
【００５４】
例えば、図１０においては、ディスプレイユニット１２は、ベースユニット１１にヒンジ部１２０を介して回動自在に取り付けられている。ヒンジ部１２０は、ベースユニット１１の上面に平行に延びた第１の軸１２０ａと、第１の軸１２０ａに対して垂直方向に延びた第２の軸１２０ｂとの２つの軸を有している。ディスプレイユニット１２は、第１の軸１２０ａの回りでディスプレイユニット１２が回動するようにベースユニット１１に取り付けられている。換言すれば、ディスプレイユニット１２は、ベースユニット１１の上面が露出される開放位置とベースユニット１１の上面がディスプレイユニット１２の表示面によって覆われる閉塞位置との間を第１の軸１２０ａの回りで回動することができる。さらに、ディスプレイユニット１２は、第２の軸１２０ｂの回りで１８０度回動することもできる。換言すれば、ディスプレイユニット１２は、表示面がコンピュータ１０の正面側を向く第１の位置（ディスプレイユニット１２の回転角度は０度）とディスプレイユニット１２の背面がコンピュータ１０の正面側を向く第２の位置（ディスプレイユニットの回転角度は１８０度）との間を第２の軸１２０ｂの回りで回動することができる。
【００５５】
ディスプレイユニット１２が第２の軸１２０ｂの回りで１８０度回転され、且つ、ディスプレイユニット１２が閉じられた状態、つまり、ディスプレイユニット１２の背面がベースユニット１１の上面を覆う位置に設定された状態が、上述のタブレットモードに相当する。
【００５６】
以上説明したように、本実施形態によれば、第１の位置から第２の位置へのディスプレイユニット１２の設定位置の変更に応答して、非接触通信モジュール１０７によって使用されるアンテナが、ベースユニット１１の上面に配置された第１のアンテナ２１から、第２の位置に設定されたディスプレイユニット１２によって覆われないコンピュータ１０内の位置に配置されている第２のアンテナ２２に変更される。したがって、コンピュータ１０の現在のスタイルに応じて非接触通信に使用するアンテナを自動的に変更することができるので、コンピュータ１０の現在のスタイルがクラムシェルモード、タブレットモードのいずれであるかにかかわらず、非接触通信を有効に利用することができる。なお、第２のアンテナ２２を、ベースユニット１１の側面に配置してもよい。
【００５７】
本実施形態の構成は、タブレットコンピュータのみならず、クラムシェルモードとタブレットモードの双方を使用可能な様々な電子機器、例えば、スマートフォン、ＰＤＡ等にてきようすることもできる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１０…コンピュータ、１１…ベースユニット、１２…ディスプレイユニット、１３…キーボード、１４…タッチパッド、２１、２２…アンテナ、１０１…ＣＰＵ、１０７…非接触通信モジュール、１１１…ＲＦスイッチ、１１２Ａ、１１２Ｂ…ＲＦマッチング回路。
【図１】
2014010626.tif 000003
【図２】
2014010626.tif 000004
【図３】
2014010626.tif 000005
【図４】
2014010626.tif 000006
【図５】
2014010626.tif 000007
【図６】
2014010626.tif 000008
【図７】
2014010626.tif 000009
【図８】
2014010626.tif 000010
【図９】
2014010626.tif 000011
【図１０】
2014010626.tif 000012